(57)【特許請求の範囲】
【請求項１】
プラント作業に必要な作業情報を識別キーに関連付けて管理する情報管理装置と、
前記作業情報のうち、全ての作業員に伝達すべき共通情報を表示する情報伝達装置と、
前記情報伝達装置の表示装置に表示された前記共通情報の画像から、前記作業情報のうち、前記共通情報以外の個別情報に関連付けられた画像データを取得する画像取得部と、
前記個別情報の画像データを解析して、前記個別情報の個別識別キーを取得する画像認識部と、
前記個別識別キーを前記情報管理装置に送信する通信部と、を有する携帯端末と、を備え、
前記情報管理装置は、前記個別識別キーに関連付けられた個別情報を前記携帯端末に送信し、
前記携帯端末は、さらに、前記情報管理装置から送信された個別情報を表示する表示部を有する、情報管理システム。
【請求項２】
前記情報管理装置は、前記識別キーと、前記作業情報の適用期間を示す時間情報と、に関連付けて前記作業情報を管理し、前記通信部から送信された前記個別識別キーの受信日時が前記時間情報に適合する個別情報を前記携帯端末に送信する、請求項１に記載の情報管理システム。
【請求項３】
前記携帯端末は、グループが割り当てられ、前記グループを示すグループ情報に関連付けられた携帯端末識別情報を有し、
前記情報管理装置は、前記識別キーと、前記グループ情報と、に関連付けて前記作業情報を管理し、前記グループ情報に関連付けられた前記個別情報を前記グループ情報に関連付けられた前記携帯端末識別情報に対応する前記携帯端末に送信する、請求項１又は２に記載の情報管理システム。
【請求項４】
前記情報管理装置は、前記識別キーと、前記プラント作業の作業現場に設けられたタグシールに埋め込まれた属性情報と、に関連付けて前記作業情報を管理し、
前記画像取得部は、前記タグシールの画像データを取得し、
前記画像認識部は、前記タグシールの画像データを解析して、前記属性情報を取得し、
前記表示部は、前記属性情報に関連付けられた個別情報を表示する、請求項１乃至３の何れか１項に記載の情報管理システム。
【請求項５】
前記画像データは、前記個別識別キーが埋め込まれたタグ画像であり、前記情報伝達装置は、複数の前記タグ画像を切り替えながら表示する、請求項１乃至４の何れか１項に記載の情報管理システム。
【発明の詳細な説明】
【技術分野】
【０００１】
本発明は、プラント作業に必要な情報を管理する情報管理システムに関する。
【背景技術】
【０００２】
一般的なプラントでは、建設、保守（検査及び補修）、汚染調査並びに廃棄等のプラント作業に多数の作業員が作業現場で作業する必要がある。例えば、大規模プロセスプラントである原子力発電プラントの定期点検では、数百人程度の作業員が屋内外の作業現場で作業する。プロセスプラントの作業現場には、様々な機器が設置されているため、全ての作業員が同じ作業をするわけではなく、各作業員の作業内容は、担当する機器及び点検内容によって決まる。
【０００３】
従来、プラント作業に必要な作業情報は、作業前のミーティングで各作業員に伝達される。しかしながら、作業員毎に作業情報が異なるので、各作業員に個別の作業情報を伝達することは困難である。
【０００４】
一方、近年、作業情報を迅速且つ正確に伝達するために、携帯端末が利用されている。携帯端末に情報を配信する技術は、例えば特許文献１に開示されている。
【先行技術文献】
【特許文献】
【０００５】
【特許文献１】特開２００７−３５０５４号公報
【発明の概要】
【発明が解決しようとする課題】
【０００６】
しかしながら、特許文献１は、プラント作業の作業員に作業情報を伝達する技術ではない。また、プラント作業では、作業員の混乱を防ぐために、各作業員に過不足無く作業情報を伝達する必要がある。
【０００７】
本発明は、上記の課題を解決するために創作されたものであって、全ての作業員に作業情報を過不足無く伝達する情報管理システム及び情報管理装置を提供することを目的とする。
【課題を解決するための手段】
【０００８】
本発明の一態様によれば、
プラント作業に必要な作業情報を識別キーに関連付けて管理する情報管理装置と、
前記作業情報のうち、全ての作業員に伝達すべき共通情報を表示する情報伝達装置と、
前記作業情報のうち、前記共通情報以外の個別情報の画像データを取得する画像取得部と、前記個別情報の画像データを解析して、前記個別情報の個別識別キーを取得する画像認識部と、前記個別識別キーを前記情報管理装置に送信する通信部と、を有する携帯端末と、を備え、
前記情報管理装置は、前記個別識別キーに関連付けられた個別情報を前記携帯端末に送信し、
前記携帯端末は、さらに、前記情報管理装置から送信された個別情報を表示する表示部を有する、情報管理システムが提供される。
【発明の効果】
【０００９】
本発明によれば、全ての作業員に作業情報を過不足無く伝達できる。
【図面の簡単な説明】
【００１０】
【図１】本発明の実施形態の情報管理システム１の構成図。
【図２】本発明の実施形態の共通情報の表示例の説明図。
【図３】本発明の実施形態の携帯端末３０のブロック図。
【図４】本発明の実施形態の作業情報の概略図。
【図５】本発明の実施形態の情報管理処理のシーケンス図。
【図６】第１変形例の作業情報の概略図。
【図７】第２変形例の作業情報の概略図。
【図８】第２変形例のグループ情報と携帯端末３０とを関連付けるデータテーブルの概略図。
【図９】第３変形例の作業情報の概略図。
【図１０】第３変形例の情報管理処理のシーケンス図。
【発明を実施するための形態】
【００１１】
以下、本発明の実施形態について、図面を参照して詳細に説明する。
【００１２】
本発明の実施形態の情報管理システムの構成を説明する。図１は、本発明の実施形態の情報管理システム１の構成図である。
【００１３】
情報管理システム１は、情報管理装置１０と、情報伝達装置２０と、携帯端末３０と、無線ネットワーク４０と、を備える。
【００１４】
情報管理装置１０は、プラント作業に必要な作業情報を管理する装置である。情報管理装置１０は、作業情報を記憶するデータベースを備える。作業情報は、作業現場の見取り図の現場情報、作業現場に設けられた機器に関する機器情報及び作業内容を示す作業内容情報である。例えば、機器情報は、機器の仕様及びマニュアルである。例えば、作業内容情報は、作業手順書及び作業の注意事項を示す情報である。なお、作業情報は、文字及び画像だけでなく、音声（例えば、作業手順及び機器の作動音）を含んでも良い。現場情報、機器情報の一部及び作業内容情報の一部は、全ての作業員に伝達すべき共通情報である。共有情報以外の作業情報は、各作業員に個別に伝達すべき個別情報である。情報管理装置１０は、情報伝達装置２０に共有情報を送信し、無線ネットワーク４０を介して携帯端末３０に作業情報を送信する。例えば、情報管理装置１０は、少なくとも１つのサーバにより実現される。
【００１５】
情報伝達装置２０は、情報管理装置１０に記憶された作業情報のうち共通情報を表示する装置である。例えば、情報伝達装置２０は、作業前のミーティングが行われるミーティングルームに設けられ、複数の作業員が同時に見るのに十分なサイズを有する表示装置に接続されたコンピュータである。表示装置は、液晶ディスプレイであっても良いし、プロジェクタ及びスクリーンのセットであっても良い。なお、情報伝達装置２０は、共通情報を印字するプリンタと接続可能である。
【００１６】
携帯端末３０は、無線ネットワーク４０を介して情報管理装置１０にアクセスして、情報管理装置１０に記憶された作業情報を表示する装置である。携帯端末３０は、各作業員に配布される。例えば、携帯端末３０は、携帯電話又はスマートフォンである。
【００１７】
本発明の実施形態の共通情報の表示例を説明する。図２は、本発明の実施形態の共通情報の表示例の説明図である。
【００１８】
情報伝達装置２０は、現場情報の画像９１と、作業現場に設けられた機器の画像９２Ａ〜９２Ｃと、タグ画像９３Ａ〜９３Ｃと、を表示する。タグ画像９３Ａ〜９３Ｃには、それぞれ、機器９２Ａ〜９２Ｃに関連付けられた識別キーが埋め込まれている。識別キーは、共通情報の識別キー（以下、共通識別キー）と、個別情報の識別キー（以下、個別識別キー）と、を含む。タグ画像９３Ａ〜９３Ｃは、個別識別キーが埋め込まれた１次元バーコード又は２次元バーコードであっても良いし、個別識別キーを示す文字又は記号であっても良い。識別キーは、機器９２Ａ〜９２Ｃの名称、型番又は系統番号であっても良いし、作業員がアクセスすべき情報管理装置１０のデータベース上のフォルダのアドレスであっても良い。また、情報伝達装置２０は、複数のタグ画像を切り替えながら表示しても良い。これにより、限られた表示スペースに、より多くのタグ画像を表示できる。
【００１９】
本発明の実施形態の携帯端末の構成を説明する。図３は、本発明の実施形態の携帯端末３０のブロック図である。
【００２０】
本発明の実施形態の携帯端末３０は、画像取得部３１と、画像認識部３２と、メモリ３３と、表示部３４と、通信部３５と、操作部３６と、制御部３７と、を備える。
【００２１】
画像取得部３１は、タグ画像９３Ａ〜９３Ｃの画像データ（以下、タグ画像データ）を取得するモジュールである。例えば、画像取得部３１は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを有するデジタルカメラである。
【００２２】
画像認識部３２は、タグ画像９３Ａ〜９３Ｃに関連付けられた機器を認識するモジュールである。例えば、画像認識部３２は、バーコードリーダ又は光学式文字読取装置である。
【００２３】
メモリ３３は、携帯端末３０の処理に必要な様々なデータを記憶するモジュールである。例えば、メモリ３３は、フラッシュメモリである。
【００２４】
表示部３４は、携帯端末３０の処理結果を表示するモジュールである。例えば、表示部３４は、１人の作業員が見るのに十分なサイズを有する液晶ディスプレイ又は有機ＥＬ（Ｅｌｅｃｔｒｏ  Ｌｕｍｉｎｅｓｃｅｎｃｅ）ディスプレイである。
【００２５】
通信部３５は、無線ネットワーク４０を介して、情報管理装置１０にデータを送信するとともに、情報管理装置１０からデータを受信するモジュールである。
【００２６】
操作部３６は、ユーザの指示を受け付けるモジュールである。例えば、操作部３６は、ハードキー又はソフトキー（表示部３４と一体化されたタッチパネル）により実現される。
【００２７】
制御部３７は、メモリ３３に記憶された制御プログラムを実行して、画像取得部３１と、画像認識部３２と、表示部３４と、通信部３５と、操作部３６と、を制御するモジュールである。
【００２８】
本発明の実施形態の情報管理装置が管理する作業情報のデータ構造を説明する。図４は、本発明の実施形態の作業情報の概略図である。
【００２９】
情報管理装置１０のデータベースには、識別キーと、識別キーに関連付けられた作業情報が記憶される。識別キーは、共通情報の識別キー（以下、共通識別キー）ＣＯＭと、個別識別キーＩＮＤｎ（ｎは１以上の整数）と、を含む。図４では、共通情報Ｃ１及びＣ２が識別キーＣＯＭに関連付けられ、個別情報Ｉ１〜Ｉ３が識別キーＩＮＤ１〜ＩＮＤ３に関連付けられている。このようなデータ構造により、必要な作業情報が過不足無く取得可能になる。
【００３０】
本発明の実施形態の情報管理処理について説明する。図５は、本発明の実施形態の情報管理処理のシーケンス図である。なお、図５では、実線矢印が信号の流れを示し、破線が作業員の行動を示す。
【００３１】
＜共通情報要求送信（Ｓ５２０）＞  はじめに、情報伝達装置２０は、情報管理装置１０に共通情報要求を送信する。共通情報要求は、情報管理装置１０に記憶された作業情報のうち共通情報を要求する信号である。例えば、作業員が情報伝達装置２０を起動すると、情報伝達装置２０が共通情報要求を情報管理装置１０に送信する。
【００３２】
＜共通情報送信（Ｓ５１１）＞  情報管理装置１０は、共通情報要求を受信すると、受信した共通情報要求に対応する共通情報をデータベースから読み出し、読み出した共通情報を情報伝達装置２０に送信する。なお、情報管理装置１０は、読み出した共通情報に基づいて情報伝達装置２０の表示装置に表示させる画面を作成し、作成した画面を情報管理装置１０に送信しても良い。
【００３３】
＜共通情報表示（Ｓ５２２）＞  情報伝達装置２０は、共通情報を受信すると、受信した共通情報を表示装置に表示する。各作業員は、情報伝達装置２０の表示装置を介して共通情報を取得するとともに、携帯端末３０の操作部３６を介して、図２の共通情報のタグ画像９３Ａ〜９３Ｃの画像データを取得するための画像取得指示を携帯端末３０に与える（５Ａ）。
【００３４】
＜画像取得（Ｓ５３３）＞  携帯端末３０の画像取得部３１は、画像取得指示を受信すると、情報伝達装置２０の表示装置に表示されたタグ画像９３Ａ〜９３Ｃの画像データを取得する。
【００３５】
＜画像認識（Ｓ５３４）＞  携帯端末３０の画像認識部３２は、タグ画像９３Ａ〜９３Ｃの画像データを解析して、タグ画像９３Ａ〜９３Ｃに関連付けられた機器９２Ａ〜９２Ｃの識別キーを取得する。
【００３６】
＜個別情報要求送信（Ｓ５３５）＞  携帯端末３０の通信部３５は、情報管理装置１０に個別情報要求を送信する。個別情報要求は、情報管理装置１０に記憶された作業情報のうち、識別キーに関連付けられた個別情報を要求する信号である。
【００３７】
＜個別情報送信（Ｓ５１６）＞  情報管理装置１０は、個別情報要求を受信すると、受信した個別情報要求に含まれる識別キーに関連付けられた個別情報をデータベースから読み出し、読み出した個別情報を携帯端末３０に送信する。携帯端末３０は、個別情報を受信すると、受信した個別情報をメモリ３３に記憶する。各作業員は、携帯端末３０の操作部３６を介して、個別情報を表示させるための個別情報表示指示を携帯端末３０に与える（５Ｂ）。
【００３８】
＜個別情報表示（Ｓ５３７）＞  携帯端末３０は、個別情報表示指示に対応する個別情報をメモリ３３から読み出して、読み出した個別情報を表示部３４に表示する。一般的に、個別情報は、量が多いので、表示部３４のサイズに応じて複数の頁に分割して表示されることが好ましい。各作業員は、表示部３４を介して個別情報を取得する（５Ｃ）。
【００３９】
本発明の実施形態によれば、情報管理装置１０のデータベースに識別キーに関連付けられた作業情報が記憶され、共通情報が情報伝達装置２０に表示され、個別情報が携帯端末３０に表示される。従って、作業情報を過不足無く作業員に伝達できる。さらに、データベースに記憶された作業情報を作業員の訓練用教材として使用できる。
【００４０】
なお、本発明の実施形態では、機器９２Ａ〜９２Ｃが設けられた区域に関連付けられた固有識別キーが用いられても良い。特に、複数の区域毎に汚染調査を行う場合には、固有識別キーを区域に関連付けることが有効である。
【００４１】
本発明の実施形態の第１変形例を説明する。なお、上述の実施形態と同様の説明は省略する。図６は、第１変形例の作業情報の概略図である。
【００４２】
第１変形例の作業情報は、識別キーに加えて、時間情報に関連付けられる。時間情報は、作業情報の適用期間を示す。時間情報は、作業情報を適用すべき期間の始点及び終点を示す日時であっても良いし、作業情報を適用すべき定期的な日時（例えば、曜日）であっても良い。この場合には、情報管理装置１０は、共通情報要求又は個別情報要求の受信日時が時間情報に適合する作業情報を情報伝達装置２０又は携帯端末３０に送信する。情報管理装置１０は、コンピュータの時計に基づいて受信日時を決定しても良いし、情報伝達装置２０又は携帯端末３０により付加されたタイムスタンプに基づいて受信日時を決定しても良い。
【００４３】
第１変形例によれば、作業情報の適用期間に適合する作業情報のみが作業員に伝達される。従って、適用期間を考慮して作業情報を取得するための作業員の負担を取り除くことができる。
【００４４】
本発明の実施形態の第２変形例を説明する。なお、上述の実施形態と同様の説明は省略する。図７は、第２変形例の作業情報の概略図である。図８は、第２変形例のグループ情報と携帯端末３０とを関連付けるデータテーブルの概略図である。
【００４５】
第２変形例の個別情報は、識別キーに加えて、グループ情報に関連付けられる。グループ情報は、携帯端末３０に割り当てられたグループを示す。図７では、個別情報Ｉ１〜Ｉ３が、それぞれ、識別キーＩＮＤ１〜ＩＮＤ３及びグループ情報Ｇ１〜Ｇ３に関連付けられている。図８では、グループ情報Ｇ１に携帯端末識別情報Ｎ１〜Ｎ６が関連付けられ、グループ情報Ｇ２に携帯端末識別情報Ｎ１〜Ｎ３が関連付けられ、グループ情報Ｇ３に携帯端末識別情報Ｎ４〜Ｎ６が関連付けられている。従って、個別情報Ｉ１は、グループ情報Ｇ１に関連付けられた携帯端末識別情報Ｎ１〜Ｎ６に対応する携帯端末３０に送信され、個別情報Ｉ２は、グループ情報Ｇ２に関連付けられた携帯端末識別情報Ｎ１〜Ｎ３に対応する携帯端末３０に送信され、個別情報Ｉ３は、グループ情報Ｇ３に関連付けられた携帯端末識別情報Ｎ４〜Ｎ６に対応する携帯端末３０に送信される。携帯端末識別情報Ｎ１〜Ｎ６は、携帯電話番号であっても良いし、ＩＰ（Ｉｎｔｅｒｎｅｔ  Ｐｒｏｔｏｃｏｌ）アドレス又はＭＡＣ（Ｍｅｄｉａ  Ａｃｃｅｓｓ  Ｃｏｎｔｒｏｌ）アドレスであっても良い。
【００４６】
第２変形例によれば、携帯端末３０に割り当てられたグループ（例えば、携帯端末３０を使用する作業員が所属するグループ）毎に個別情報を伝達できる。
【００４７】
本発明の実施形態の第３変形例を説明する。なお、上述の実施形態と同様の説明は省略する。図９は、第３変形例の作業情報の概略図である。
【００４８】
第３形例の個別情報は、識別キーに加えて、属性情報に関連付けられる。属性情報は、作業現場に設けられたタグシールに埋め込まれる。例えば、属性情報Ｒ１〜Ｒ３は、それぞれ、個別情報Ｉ１〜Ｉ３及び作業現場の機器に貼付されたタグシールに埋め込まれている。
【００４９】
第３変形例の情報管理処理について説明する。図１０は、第３変形例の情報管理処理のシーケンス図である。なお、図１０では、実線矢印が信号の流れを示し、破線が作業員の行動を示す。
【００５０】
＜共通情報要求送信（Ｓ１０２０）〜個別情報要求送信（Ｓ１０３５）＞  図５の共通情報要求送信（Ｓ５２０）〜個別情報要求送信（Ｓ５３５）と同様である。
【００５１】
＜個別情報送信（Ｓ１０１６）＞  情報管理装置１０は、個別情報要求を受信すると、受信した個別情報要求に含まれる識別キーに関連付けられた個別情報をデータベースから読み出し、読み出した個別情報を携帯端末３０に送信する。携帯端末３０は、個別情報を受信すると、受信した個別情報を属性情報に関連付けてメモリ３３に記憶する。各作業員は、作業現場に到着すると、携帯端末３０の操作部３６を介して、作業現場に設けられたタグシールの画像データを取得するための画像取得指示を携帯端末３０に与える（１０Ｂ）。
【００５２】
＜画像取得（Ｓ１０３７）＞  携帯端末３０の画像取得部３１は、画像取得指示を受信すると、作業現場に設けられたタグシールの画像データを取得する。
【００５３】
＜画像認識（Ｓ１０３８）＞  携帯端末３０の画像認識部３２は、タグシールの画像データを解析して、タグシールに埋め込まれた属性情報を取得する。
【００５４】
＜個別情報表示（Ｓ１０３９）＞  携帯端末３０は、属性情報に関連付けられた個別情報をメモリ３３から読み出して、読み出した個別情報を表示部３４に表示する。各作業員は、表示部３４を介して個別情報を取得する（１０Ｃ）。
【００５５】
第３変形例によれば、携帯端末３０が属性情報に関連付けて個別情報を記憶するので、作業現場にネットワーク環境がなくても作業現場毎に個別情報を伝達できる。
【００５６】
本発明の実施形態の情報管理システム１の少なくとも一部は、ハードウェアで構成しても良いし、ソフトウェアで構成しても良い。ソフトウェアで構成する場合には、情報管理システム１の少なくとも一部の機能を実現するプログラムをフレキシブルディスクやＣＤ−ＲＯＭ等の記録媒体に収納し、コンピュータに読み込ませて実行させても良い。記録媒体は、磁気ディスクや光ディスク等の着脱可能なものに限定されず、ハードディスク装置やメモリなどの固定型の記録媒体でも良い。
【００５７】
また、本発明の実施形態の情報管理システム１の少なくとも一部の機能を実現するプログラムを、インターネット等の通信回線（無線通信も含む）を介して頒布しても良い。さらに、同プログラムを暗号化したり、変調をかけたり、圧縮した状態で、インターネット等の有線回線や無線回線を介して、あるいは記録媒体に収納して頒布しても良い。
【００５８】
なお、本発明は、上述した実施形態に限定されるものではなく、その要旨を逸脱しない範囲で構成要素を変形して具体化される。また、上述した実施形態に開示されている複数の構成要素の適宜な組み合わせにより、種々の発明が形成可能である。例えば、上述した実施形態に示される全構成要素から幾つかの構成要素を削除してもよい。さらに、異なる実施形態にわたる構成要素を適宜組み合わせてもよい。
【符号の説明】
【００５９】
１  情報管理システム
１０  情報管理装置
２０  情報伝達装置
３０  携帯端末
３１  画像取得部
３２  画像認識部
３３  メモリ
３４  表示部
３５  通信部
３６  操作部
３７  制御部
４０  無線ネットワーク
【図１】
0005580219.tif 000002
【図２】
0005580219.tif 000003
【図３】
0005580219.tif 000004
【図４】
0005580219.tif 000005
【図５】
0005580219.tif 000006
【図６】
0005580219.tif 000007
【図７】
0005580219.tif 000008
【図８】
0005580219.tif 000009
【図９】
0005580219.tif 000010
【図１０】
0005580219.tif 000011